【手続補正書】
【提出日】平成18年4月18日(2006.4.18)
【手続補正１】
【補正対象書類名】明細書
【補正対象項目名】特許請求の範囲
【補正方法】変更
【補正の内容】
【特許請求の範囲】
【請求項１】  入力される音声を認識して、制御対象が備える機能を遠隔的に操作する音声認識リモコン装置であって、
音声の認識結果から、話者認識用のＩＤコードを生成する話者認識手段と、
予め定められる制御対象の利用者に対して、話者認識用のＩＤコードを登録しておくＩＤ登録手段と、
入力される音声に対して、話者認識手段によって生成されるＩＤコードが、ＩＤ登録手段に登録されているＩＤコードと一致しているか否かを判断するＩＤ判断手段と、
ＩＤ判断手段によってＩＤコードが一致すると判断されるとき、制御対象の機能の遠隔制御用の信号を送信する信号送信手段とを含むことを特徴とする音声認識リモコン装置。
【請求項２】  入力される音声を認識して、制御対象が備える機能を遠隔的に操作する音声認識リモコン装置であって、
音声の認識結果から、話者認識用のＩＤコードを生成する話者認識手段と、
予め定められる制御対象の利用者に対して、話者認識用のＩＤコードを登録しておくＩＤ登録手段と、
入力される音声に対して、話者認識手段によって生成されるＩＤコードが、ＩＤ登録手段に登録されているＩＤコードと一致しているか否かを判断するＩＤ判断手段と、
ＩＤ判断手段によってＩＤコードが一致すると判断された後に入力された音声から、指示語を抽出する音声認識手段と、
音声認識手段によって抽出された指示語に基づく制御対象の機能を遠隔制御するための信号を、制御対象に対して送信する信号送信手段とを含むことを特徴とする音声認識リモコン装置。
【請求項３】  前記送信手段は、前記音声認識手段によって抽出された同一の指示語に対して送信する、制御対象の機能を遠隔制御するための信号を、利用者毎に異なる内容にすることを可能にすることを特徴とする請求項２記載の音声認識リモコン装置。
【請求項４】  入力される音声を認識して、制御対象が備える機能を遠隔的に操作する音声認識リモコン装置であって、
音声の認識結果から、話者認識用のＩＤコードを生成する話者認識手段と、
予め定められる制御対象の利用者に対して、話者認識用のＩＤコードを登録しておくＩＤ登録手段と、
入力される音声に対して、話者認識手段によって生成されるＩＤコードが、ＩＤ登録手段に登録されているＩＤコードと一致しているか否かを判断するＩＤ判断手段と、
ＩＤ判断手段によってＩＤコードが一致すると判断されると、制御対象の機能を遠隔制御するための一定の信号を、制御対象に対して送信する信号送信手段とを含むことを特徴とする音声認識リモコン装置。
【請求項５】  入力される音声を認識して、車両が備える窓の開閉機能を遠隔的に操作する音声認識リモコン装置であって、
音声の認識結果から、話者認識用のＩＤコードを生成する話者認識手段と、
予め定められる制御対象の利用者に対して、話者認識用のＩＤコードを登録しておくＩＤ登録手段と、
入力される音声に対して、話者認識手段によって生成されるＩＤコードが、ＩＤ登録手段に登録されているＩＤコードと一致しているか否かを判断するＩＤ判断手段と、
ＩＤ判断手段によってＩＤコードが一致すると判断されるとき、窓の開閉機能を制御するための遠隔制御用の信号を送信する信号送信手段とを含むことを特徴とする音声認識リモコン装置。
【請求項６】  入力される音声を認識して、車両が備えるエンジンのＯＮ／ＯＦＦ機能を遠隔的に操作する音声認識リモコン装置であって、
音声の認識結果から、話者認識用のＩＤコードを生成する話者認識手段と、
予め定められる制御対象の利用者に対して、話者認識用のＩＤコードを登録しておくＩＤ登録手段と、
入力される音声に対して、話者認識手段によって生成されるＩＤコードが、ＩＤ登録手段に登録されているＩＤコードと一致しているか否かを判断するＩＤ判断手段と、
ＩＤ判断手段によってＩＤコードが一致すると判断されるとき、エンジンのＯＮ／ＯＦＦ機能を制御するための遠隔制御用の信号を送信する信号送信手段とを含むことを特徴とする音声認識リモコン装置。
【請求項７】  入力される音声を認識して、車両が備える座席位置の調整機能を遠隔的に操作する音声認識リモコン装置であって、
音声の認識結果から、話者認識用のＩＤコードを生成する話者認識手段と、
予め定められる制御対象の利用者に対して、話者認識用のＩＤコードを登録しておくＩＤ登録手段と、
入力される音声に対して、話者認識手段によって生成されるＩＤコードが、ＩＤ登録手段に登録されているＩＤコードと一致しているか否かを判断するＩＤ判断手段と、
ＩＤ判断手段によってＩＤコードが一致すると判断されるとき、座席位置の調整機能を制御するための遠隔制御用の信号を送信する信号送信手段とを含むことを特徴とする音声認識リモコン装置。
【手続補正２】
【補正対象書類名】明細書
【補正対象項目名】００１０
【補正方法】変更
【補正の内容】
【００１０】
また本発明は、入力される音声を認識して、制御対象が備える機能を遠隔的に操作する音声認識リモコン装置であって、
音声の認識結果から、話者認識用のＩＤコードを生成する話者認識手段と、
予め定められる制御対象の利用者に対して、話者認識用のＩＤコードを登録しておくＩＤ登録手段と、
入力される音声に対して、話者認識手段によって生成されるＩＤコードが、ＩＤ登録手段に登録されているＩＤコードと一致しているか否かを判断するＩＤ判断手段と、
ＩＤ判断手段によってＩＤコードが一致すると判断された後に入力された音声から、指示語を抽出する音声認識手段と、
音声認識手段によって抽出された指示語に基づく制御対象の機能を遠隔制御するための信号を、制御対象に対して送信する信号送信手段とを含むことを特徴とする音声認識リモコン装置である。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
また本発明は、前記送信手段は、前記音声認識手段によって抽出された同一の指示語に対して送信する、制御対象の機能を遠隔制御するための信号を、利用者毎に異なる内容にすることを可能にすることを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
また本発明は、入力される音声を認識して、制御対象が備える機能を遠隔的に操作する音声認識リモコン装置であって、
音声の認識結果から、話者認識用のＩＤコードを生成する話者認識手段と、
予め定められる制御対象の利用者に対して、話者認識用のＩＤコードを登録しておくＩＤ登録手段と、
入力される音声に対して、話者認識手段によって生成されるＩＤコードが、ＩＤ登録手段に登録されているＩＤコードと一致しているか否かを判断するＩＤ判断手段と、
ＩＤ判断手段によってＩＤコードが一致すると判断されると、制御対象の機能を遠隔制御するための一定の信号を、制御対象に対して送信する信号送信手段とを含むことを特徴とする音声認識リモコン装置である。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
また本発明は、入力される音声を認識して、車両が備える窓の開閉機能を遠隔的に操作する音声認識リモコン装置であって、
音声の認識結果から、話者認識用のＩＤコードを生成する話者認識手段と、
予め定められる制御対象の利用者に対して、話者認識用のＩＤコードを登録しておくＩＤ登録手段と、
入力される音声に対して、話者認識手段によって生成されるＩＤコードが、ＩＤ登録手段に登録されているＩＤコードと一致しているか否かを判断するＩＤ判断手段と、
ＩＤ判断手段によってＩＤコードが一致すると判断されるとき、窓の開閉機能を制御するための遠隔制御用の信号を送信する信号送信手段とを含むことを特徴とする音声認識リモコン装置である。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
また本発明は、入力される音声を認識して、車両が備えるエンジンのＯＮ／ＯＦＦ機能を遠隔的に操作する音声認識リモコン装置であって、
音声の認識結果から、話者認識用のＩＤコードを生成する話者認識手段と、
予め定められる制御対象の利用者に対して、話者認識用のＩＤコードを登録しておくＩＤ登録手段と、
入力される音声に対して、話者認識手段によって生成されるＩＤコードが、ＩＤ登録手段に登録されているＩＤコードと一致しているか否かを判断するＩＤ判断手段と、
ＩＤ判断手段によってＩＤコードが一致すると判断されるとき、エンジンのＯＮ／ＯＦＦ機能を制御するための遠隔制御用の信号を送信する信号送信手段とを含むことを特徴とする音声認識リモコン装置である。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
また本発明は、入力される音声を認識して、車両が備える座席位置の調整機能を遠隔的に操作する音声認識リモコン装置であって、
音声の認識結果から、話者認識用のＩＤコードを生成する話者認識手段と、
予め定められる制御対象の利用者に対して、話者認識用のＩＤコードを登録しておくＩＤ登録手段と、
入力される音声に対して、話者認識手段によって生成されるＩＤコードが、ＩＤ登録手段に登録されているＩＤコードと一致しているか否かを判断するＩＤ判断手段と、
ＩＤ判断手段によってＩＤコードが一致すると判断されるとき、座席位置の調整機能を制御するための遠隔制御用の信号を送信する信号送信手段とを含むことを特徴とする音声認識リモコン装置である。
【手続補正１３】
【補正対象書類名】明細書
【補正対象項目名】００２１
【補正方法】削除
【補正の内容】
【手続補正１４】
【補正対象書類名】明細書
【補正対象項目名】００３８
【補正方法】削除
【補正の内容】
【手続補正１５】
【補正対象書類名】明細書
【補正対象項目名】００３９
【補正方法】削除
【補正の内容】
【手続補正１６】
【補正対象書類名】明細書
【補正対象項目名】００４０
【補正方法】削除
【補正の内容】
【手続補正１７】
【補正対象書類名】明細書
【補正対象項目名】００４１
【補正方法】削除
【補正の内容】
【手続補正１８】
【補正対象書類名】明細書
【補正対象項目名】００４２
【補正方法】削除
【補正の内容】
【手続補正１９】
【補正対象書類名】明細書
【補正対象項目名】００４３
【補正方法】削除
【補正の内容】